(57)【要約】      （修正有）【課題】包装箱に収容された複数の被包装物を容易に押えることができるスペーサを提供する。【解決手段】包装箱５に収容された複数の被包装物６を押さえるスペーサ１は、第１支持板１０、第２支持板１１および複数の押え部１２を備え、各々の押え部１２は、被包装物６に当接する押え面部２５と、押え面部２５と第１および第２支持板１０、１１との間に架設された第１および第２押え脚部３０、３５と、を有し、第２方向に隣り合う少なくとも１組の押え部１２は、押え面部２５と第１押え脚部３０と第２押え脚部３５の長さが異なるように形成され、第１支持板１０と第２支持板１１とを折り返す過程で、第１押え脚部３０および第２押え脚部３５は、押え面部２５を押し出し、押え面部２５に向かって互いに接近するように傾斜した姿勢になり、第１支持板１０を第２支持板１１に固定することで、第１および第２押え脚部３０、３５は傾斜する。【選択図】図２
0003228629.tif 000002
【実用新案登録請求の範囲】
【請求項１】
包装箱（５）に収容された複数の被包装物（６）を押さえるスペーサ（１，２，２´，３）であって、
第１支持板（１０）と、
前記第１支持板に対して第１方向に間隔をあけて配置された第２支持板（１１）と、
前記第１支持板と前記第２支持板との間に架設され、第１方向に直交する第２方向に並設された複数の押え部（１２，１３，１４）と、を備え、
前記第１支持板と前記第２支持板とは複数の前記押え部に対して折り返され、前記第１支持板は前記第２支持板に積層された状態で固定され、
各々の前記押え部の第１方向の長さは、前記第２支持板の第１方向の長さよりも長く形成され、
各々の前記押え部は、
前記被包装物に当接する押え面部（２５，２６，２７）と、
前記押え面部と前記第１支持板との間に架設された第１押え脚部（３０，３１，３２）と、
前記押え面部と前記第２支持板との間に架設された第２押え脚部（３５，３６，３７）と、を有し、
第２方向に隣り合う少なくとも１組の前記押え部は、前記押え面部と前記第１押え脚部と前記第２押え脚部のうち少なくとも１つの第１方向の長さが異なるように形成され、
前記第１支持板と前記第２支持板とを折り返す過程で、前記第１押え脚部および前記第２押え脚部は、前記押え面部を前記第２支持板から離れるように押し出し、前記押え面部に向かって互いに接近するように傾斜した姿勢になり、
前記第１支持板を前記第２支持板に固定することで、前記第１押え脚部および前記第２押え脚部は傾斜した姿勢に保持されることを特徴とするスペーサ。
【請求項２】
第２方向に隣り合う少なくとも１組の前記押え面部の図心は、第１方向にずれていることを特徴とする請求項１に記載のスペーサ。
【請求項３】
前記第１支持板を前記第２支持板に固定した状態で、複数の前記押え部のうち少なくとも１つは、その他の前記押え部に比べて、前記押え面部と前記第２支持板との距離が異なることを特徴とする請求項１または２に記載のスペーサ。
【請求項４】
前記第１押え脚部は、第１押え折線（Ｌ５）を介して前記押え面部に連設され、
前記第２押え脚部は、第２押え折線（Ｌ６）を介して前記押え面部に連設され、
前記第１押え折線と前記第２押え折線とは、第２方向の一方から他方に向かって互いに離れるように斜めに形成されていることを特徴とする請求項１ないし３のいずれか１項に記載のスペーサ。
【請求項５】
前記第１支持板は、前記第２支持板に積層された状態で、前記第２支持板に設けられた被係合部（２１）に係合する係合部（２０）を有していることを特徴とする請求項１ないし４のいずれか１項に記載のスペーサ。
【請求項６】
請求項１ないし５のいずれか１項に記載のスペーサを備えたことを特徴とする包装箱。
【考案の詳細な説明】
【技術分野】
【０００１】
本考案は、スペーサおよび包装箱に関する。
【背景技術】
【０００２】
四面体包装物を複数個並列して一体にするパッケージが知られている（特許文献１）。このパッケージは、矩形紙に一対の折目線を入れ、一対の折目線の間に複数の切り込みを入れ、切り込みの間に複数の細片を形成している。細片には折目線が千鳥状に形成され、細片は傾斜板と縦板とに分けられ、各折目線に沿って折り込むことで細片は屈曲する。四面体包装物は隣り合う２つの細片の間に配置され、四面体包装物の一方のシール部は支持板と挟持板との間に挟み込まれる。
【先行技術文献】
【特許文献】
【０００３】
【特許文献１】実全昭５０−１２６６７７号公報
【考案の概要】
【考案が解決しようとする課題】
【０００４】
しかしながら、上記したパッケージは、四面体包装物のみを支持する専用品であり、その他の形状を有する被包装物を支持することができなかった。また、上記したパッケージでは、四面体包装物を１つ１つ所定位置に配置し、シール部を支持板と挟持板との間に挟み込まなければならず、包装作業が容易であるとは言えなかった。
【０００５】
本考案は、上記課題を解決するために、包装箱に収容された複数の被包装物を容易に押えることができるスペーサおよび包装箱を提供する。
【課題を解決するための手段】
【０００６】
本考案は、包装箱に収容された複数の被包装物を押さえるスペーサであって、第１支持板と、前記第１支持板に対して第１方向に間隔をあけて配置された第２支持板と、前記第１支持板と前記第２支持板との間に架設され、第１方向に直交する第２方向に並設された複数の押え部と、を備え、前記第１支持板と前記第２支持板とは複数の前記押え部に対して折り返され、前記第１支持板は前記第２支持板に積層された状態で固定され、各々の前記押え部の第１方向の長さは、前記第２支持板の第１方向の長さよりも長く形成され、各々の前記押え部は、前記被包装物に当接する押え面部と、前記押え面部と前記第１支持板との間に架設された第１押え脚部と、前記押え面部と前記第２支持板との間に架設された第２押え脚部と、を有し、第２方向に隣り合う少なくとも１組の前記押え部は、前記押え面部と前記第１押え脚部と前記第２押え脚部のうち少なくとも１つの第１方向の長さが異なるように形成され、前記第１支持板と前記第２支持板とを折り返す過程で、前記第１押え脚部および前記第２押え脚部は、前記押え面部を前記第２支持板から離れるように押し出し、前記押え面部に向かって互いに接近するように傾斜した姿勢になり、前記第１支持板を前記第２支持板に固定することで、前記第１押え脚部および前記第２押え脚部は傾斜した姿勢に保持される。
【０００７】
この場合、第２方向に隣り合う少なくとも１組の前記押え面部の図心は、第１方向にずれていることとしてもよい。
【０００８】
この場合、前記第１支持板を前記第２支持板に固定した状態で、複数の前記押え部のうち少なくとも１つは、その他の前記押え部に比べて、前記押え面部と前記第２支持板との距離が異なることとしてもよい。
【０００９】
この場合、前記第１押え脚部は、第１押え折線を介して前記押え面部に連設され、前記第２押え脚部は、第２押え折線を介して前記押え面部に連設され、前記第１押え折線と前記第２押え折線とは、第２方向の一方から他方に向かって互いに離れるように斜めに形成されてもよい。
【００１０】
この場合、前記第１支持板は、前記第２支持板に積層された状態で、前記第２支持板に設けられた被係合部に係合する係合部を有してもよい。
【００１１】
本考案は、上記のいずれかに記載のスペーサを備えた。
【考案の効果】
【００１２】
本考案によれば、包装箱に収容された複数の被包装物を容易に押えることができる。
【図面の簡単な説明】
【００１３】
【図１】本考案の第１実施形態に係る包装箱を示す斜視図である。
【図２】図１のＩＩ−ＩＩ断面図である。
【図３】本考案の第１実施形態に係る包装箱およびスペーサを示す分解斜視図である。
【図４】本考案の第１実施形態に係るスペーサのブランクを示す平面図である。
【図５】本考案の第１実施形態に係るスペーサを示す斜視図である。
【図６】本考案の第２実施形態に係るスペーサのブランクを示す平面図である。
【図７】本考案の第２実施形態に係る包装箱およびスペーサを示す断面図である。
【図８】本考案の第２実施形態の変形例に係るスペーサのブランクを示す平面図である。
【図９】本考案の第３実施形態に係るスペーサのブランクを示す平面図である。
【図１０】本考案の第３実施形態に係るスペーサを示す斜視図である。
【図１１】本考案の第１実施形態の変形例に係るスペーサのブランクを示す平面図である。
【考案を実施するための形態】
【００１４】
以下、添付の図面を参照しつつ、本考案の実施形態について説明する。なお、図面に示すＦｒ、Ｒｒ、Ｌ、Ｒ、Ｕ、Ｄは、前、後、左、右、上、下を示している。また、前後方向（第１方向）、左右方向（第２方向）および上下方向は互いに直交している。本明細書では方向や位置を示す用語を用いるが、それらの用語は説明の便宜のために用いるものであって、本考案の技術的範囲を限定するものではない。また、方向や位置を示す用語は、スペーサまたは包装箱を組み立てた状態での方向や位置を基準にしている。
【００１５】
［第１実施形態］
図１ないし図４を参照して、第１実施形態に係る包装箱５およびスペーサ１について説明する。図１は包装箱５を示す斜視図である。図２は、図１のＩＩ−ＩＩ断面図である。
図３は包装箱５およびスペーサ１を示す分解斜視図である。図４はスペーサ１のブランク１Ａを示す平面図である。
【００１６】
［包装箱］
図１に示すように、包装箱５は、ブランク（図示せず）を組み立てることで略直方体状に形成されている。包装箱５は、略角筒状の周壁５Ｗの上面および下面を閉じることで封緘されるＡ式の箱である。ブランクは、一枚の紙製の段ボールシートを抜型等で打ち抜いて形成されている。段ボールシートは、波状の中しん９Ａの表裏に表ライナ９Ｂと裏ライナ９Ｃ（図３参照）とを貼り合せた両面段ボールシートである。なお、本明細書では、中しん９Ａと平行な方向を「段方向」と呼び、段方向に直交する方向を「流れ方向」と呼ぶこととする。
【００１７】
包装箱５は、一対の側壁５１と、一対の端壁５２と、一対の下内フラップ５３と、一対の下外フラップ５４と、一対の上内フラップ５５と、一対の上外フラップ５６と、を備えている。一対の側壁５１と一対の端壁５２とは、交互に連設されて周壁５Ｗを形成する。一対の下内フラップ５３と一対の下外フラップ５４とは、この順に折り曲げられて周壁５Ｗの下面開口を閉塞し、包装箱５の底面を構成する。一対の上内フラップ５５と一対の上外フラップ５６とは、この順に折り曲げられて周壁５Ｗの上面開口を閉塞し、包装箱５の天面を構成する。なお、下外フラップ５４は下内フラップ５３に接着されてもよいし、一対の下外フラップ５４の突き合せ部に沿って粘着テープ（図示せず）が貼付されてもよい。これと同様に、上外フラップ５６は上内フラップ５５に接着されてもよいし、一対の上外フラップ５６の突き合せ部に沿って粘着テープが貼付されてもよい。
【００１８】
図２および図３に示すように、包装箱５の内部には、複数（例えば１０個）の被包装物６と、複数（例えば２つ）のスペーサ１と、が収容されている。なお、図１では、被包装物６やスペーサ１の図示を省略している。
【００１９】
［被包装物］
複数の被包装物６は、包装箱５の底面（下内フラップ５３、下外フラップ５４）に格子状に並べられている。具体的には、左右方向に５個の被包装物６が並べられ、前後方向に２個の被包装物６が並べられている。被包装物６は略円筒形状に形成され、被包装物６の周面には広告等の情報を印刷したアテンションシール６Ａが貼付されている。アテンションシール６Ａは、例えば合成樹脂フィルムで形成され、被包装物６の上面よりも上方に延設されている。複数の被包装物６は、前後・左右に移動しないように包装箱５（周壁５Ｗ）の内部に詰められている。被包装物６の上面と包装箱５の天面（上内フラップ５５、上外フラップ５６）との間には、アテンションシール６Ａが包装箱５の上面に接触しない程度の空間が設けられている。
【００２０】
［スペーサ］
２つのスペーサ１は、前後方向に並べられ、被包装物６の上面と包装箱５の天面との間の空間に詰められている（図２参照）。スペーサ１は、包装箱５に収容された複数の被包装物６を押さえ、例えば運搬中等に包装箱５の内部で被包装物６が上下方向に移動することを規制する（位置決めする）。
【００２１】
［スペーサのブランク］
スペーサ１は、図４に示すブランク１Ａを組み立てることで形成される。ブランク１Ａは、一枚の紙製の両面段ボールシートを抜型等で打ち抜いて形成されている。なお、図４は表ライナ９Ｂの側を示している。図面に示す「Ｘ」は「段方向」を示し、「Ｙ」は「流れ方向」を示している。
【００２２】
図４に示すように、ブランク１Ａは、第１支持板１０と、第２支持板１１と、複数（例えば５つ）の押え部１２と、を備えている。
【００２３】
＜第１支持板、第２支持板＞
第２支持板１１は、第１支持板１０に対して段方向（第１方向）に間隔をあけて配置されている。第１支持板１０および第２支持板１１は、それぞれ、流れ方向に長い略長方形状に形成されている。詳細には、第２支持板１１の段方向の寸法は、第１支持板１０の段方向の寸法よりも僅かに短く設定されている。
【００２４】
第１支持板１０の流れ方向の両端部には、一対の係合片２０（係合部）が形成されている。各々の係合片２０は、第１支持板１０の流れ方向の端部から内側に向かって切り込まれた一対の切断線２０Ａによって形成されている。一対の切断線２０Ａは、流れ方向の端部から内側に向かって互いに接近するように傾斜している。したがって、係合片２０は、流れ方向の内側から外側に向かって広がる略台形状に形成されている。また、係合片２０の基端部（根本部）には、一対の切断線２０Ａの端部の間を結ぶように係合折線２０Ｂが形成されている。一方、第２支持板１１の流れ方向の両端部には、一対の係合凹部２１（被係合部）が凹設されている。各々の係合凹部２１は略矩形状の切り欠きであり、その段方向の幅は係合片２０の根本部の幅（係合折線２０Ｂの長さ）と略同等である。
【００２５】
＜押え部＞
５つの押え部１２は、第１支持板１０と第２支持板１１との間に架設されている。各々の押え部１２は、第１折返し線Ｌ１を介して第１支持板１０に連設され、第２折返し線Ｌ２を介して第２支持板１１に連設されている。また、５つの押え部１２は、４つの干渉防止穴１５を挟んで流れ方向（第２方向）に略等間隔に並設されている。各々の押え部１２は、段方向に亘って一定の幅となる帯状に形成されている。各々の押え部１２の段方向の長さは第２支持板１１（および第１支持板１０）の段方向の長さよりも長く形成されている。各々の干渉防止穴１５は、隣り合う２つの押え部１２を分断する溝（隙間）である。各々の干渉防止穴１５の流れ方向の幅は、各々の押え部１２の流れ方向の幅よりも狭く形成されている。なお、以下、説明を簡単にするため、主に１つの押え部１２に着目して説明する。
【００２６】
押え部１２は、押え面部２５と、第１押え脚部３０と、第２押え脚部３５と、を有している。押え面部２５、第１押え脚部３０および第２押え脚部３５は、押え部１２の段方向の中間領域に形成された第１押え折線Ｌ３と第２押え折線Ｌ４とによって区画されている。なお、第１折返し線Ｌ１、第２折返し線Ｌ２、第１押え折線Ｌ３および第２押え折線Ｌ４は、流れ方向（平行）に延びるように形成されている。
【００２７】
押え面部２５は、第１押え折線Ｌ３と第２押え折線Ｌ４との間に設けられている。詳細は後述するが、押え面部２５は、被包装物６に当接する部位である。第１押え脚部３０は、第１折返し線Ｌ１を介して第１支持板１０に連設され、第１押え折線Ｌ３を介して押え面部２５に連設されている。つまり、第１押え脚部３０は、押え面部２５と第１支持板１０との間に架設されている。第２押え脚部３５は、第２折返し線Ｌ２を介して第２支持板１１に連設され、第２押え折線Ｌ４を介して押え面部２５に連設されている。つまり、第２押え脚部３５は、押え面部２５と第２支持板１１との間に架設されている。
【００２８】
各々の押え部１２において、押え面部２５と第１押え脚部３０と第２押え脚部３５とは、互いに段方向の寸法（長さ）が異なっている。例えば、第１実施形態に係るスペーサ１では、押え面部２５が第１および第２押え脚部３０，３５よりも長く形成されている。
【００２９】
また、流れ方向に隣り合う１組（２つ）の押え部１２は、押え面部２５と第１押え脚部３０と第２押え脚部３５との段方向の長さが異なっている。流れ方向の両端と中央に位置する３つの押え部１２と残り２つの押え部１２とでは、各部位（２５，３０，３５）の長さの比率が異なっている。なお、以下、説明の便宜上、流れ方向の両端と中央に位置する３つの押え部１２を第１の押え部１２（Ａ）と呼び、第１の押え部１２（Ａ）に関連する構成に符号（Ａ）を付す。また、残り２つの押え部１２を第２の押え部１２（Ｂ）と呼び、第２の押え部１２（Ｂ）に関連する構成に符号（Ｂ）を付す。また、第１の押え部１２（Ａ）と第２の押え部１２（Ｂ）とで共通する説明では、単に押え部１２と呼び、押え部１２に関連する構成の符号には算用数字のみを付す。
【００３０】
例えば、第１の押え部１２（Ａ）では、第１押え脚部３０（Ａ）が第２押え脚部３５（Ａ）よりも短く形成されている。これに対し、第２の押え部１２（Ｂ）では、第１押え脚部３０（Ｂ）が第２押え脚部３５（Ｂ）よりも長く形成されている。第１押え脚部３０（Ａ）は第２押え脚部３５（Ｂ）と略同じ長さに形成されている。第２押え脚部３５（Ａ）は第１押え脚部３０（Ｂ）よりも僅かに長く形成されている。また、押え面部２５（Ａ）は、押え面部２５（Ｂ）よりも僅かに短く形成されている。
【００３１】
また、３つの第１の押え部１２（Ａ）と２つの第２の押え部１２（Ｂ）とが流れ方向に交互に配置されているため、流れ方向に隣り合う１組（２つ）の押え面部２５（Ａ），２５（Ｂ）の図心は、段方向にずれている。つまり、５つの押え部１２の押え面部２５（または第１および第２押え折線Ｌ３，Ｌ４）は千鳥状に配置されている。
【００３２】
なお、係合折線２０Ｂ、第１折返し線Ｌ１、第２折返し線Ｌ２、第１押え折線Ｌ３および第２押え折線Ｌ４は、それぞれ、段ボールシートを裏ライナ９Ｃ側から厚み方向に潰した汎用罫線である。汎用罫線は、裏ライナ９Ｃを内側に向けるように段ボールシートを折り曲げる（正折りする）機能を有している。上記した第１折返し線Ｌ１等は、汎用罫線に限らず、間隔をあけて複数の切目を並設したミシン目線や汎用罫線上にミシン目線を形成したリード罫等、段ボールシートを折曲させる機能を有するものであれば如何なるものでもよい。
【００３３】
［スペーサの組み立て］
次に、図５を参照して、スペーサ１を組み立てる手順の一例について説明する。図５はスペーサ１を示す斜視図である。なお、引き続き、１つの押え部１２に着目して説明する。
【００３４】
まず、作業者は、第２折返し線Ｌ２に沿って第２支持板１１を各押え部１２の裏面側に折り返す。続けて、作業者は、第１折返し線Ｌ１に沿って第１支持板１０を第２支持板１１の表面に重ねるように折り返す。各々の押え部１２は、第２支持板１１よりも長く形成されているため、第１支持板１０と第２支持板１１とを折り返す過程で、段方向（前後方向）に圧縮される。圧縮された各々の押え部１２は第１押え折線Ｌ３と第２押え折線Ｌ４とで正折りされ、各々の押え面部２５は下方に突き出される。また、第１押え脚部３０および第２押え脚部３５は、押え面部２５を下方に（第２支持板１１から離れるように）押し出し、下方に向かって（押え面部２５に向かって）互いに接近するように傾斜した姿勢になる。
【００３５】
各々の押え部１２は、第１および第２押え折線Ｌ３，Ｌ４で折り曲げられることで、押え面部２５を下方に突き出した押え凸部４０を構成する。各々の押え凸部４０は、側面から見て、上方から下方に向かって狭くなる（細くなる）略台形状に形成されている。換言すれば、各々の押え凸部４０は、側面から見て、第１および第２折返し線Ｌ１，Ｌ２周りの２つの角度が鋭角となり、第１および第２押え折線Ｌ３，Ｌ４周りの２つの角度が鈍角となる略台形状に形成されている。また、各々の押え部１２の各部位（２５，３０，３５）は互いに長さが異なるため、各々の押え凸部４０を構成する第１押え脚部３０と第２押え脚部３５とは互いに異なる角度で傾斜している。また、５つの押え凸部４０において、５つの押え面部２５と第２支持板１１との距離は略同一に設定されている。つまり、５つの押え凸部４０は、略同じ高さに形成されている。
【００３６】
隣り合う２つの押え部１２は各部位（２５，３０，３５）の長さが異なるため、隣り合う２つの第１押え脚部３０は互いに異なる角度で傾斜し、隣り合う２つの第２押え脚部３５も互いに異なる角度で傾斜している。具体的には、第１の押え部１２（Ａ）が構成する押え凸部４０（Ａ）では第１押え脚部３０（Ａ）が第２押え脚部３５（Ｂ）よりも急勾配となり、第２の押え部１２（Ｂ）が構成する押え凸部４０（Ｂ）では第２押え脚部３５（Ｂ）が第１押え脚部３０（Ｂ）よりも急勾配となる。３つの押え凸部４０（Ａ）と２つの押え凸部４０（Ｂ）とが左右方向に交互に配置されることで、５つの押え面部２５は千鳥状に配置される。
【００３７】
次に、作業者は、第１支持板１０に形成された一対の係合片２０を係合折線２０Ｂに沿って第２支持板１１の側に折り曲げ、一対の係合片２０を第２支持板１１に形成された一対の係合凹部２１に噛み合わせる。以上によって、第１支持板１０と第２支持板１１とは５つの押え部１２に対して折り返され、第１支持板１０は第２支持板１１に積層された状態で固定される。第１支持板１０を第２支持板１１に固定することで、第１押え脚部３０および第２押え脚部３５は傾斜した姿勢に保持される。
【００３８】
以上によって、スペーサ１が完成する（図５参照）。
【００３９】
［スペーサの作用］
図３に示すように、作業者は、包装箱５の底面上に１０個の被包装物６を配置する。図２および図３に示すように、作業者は、包装箱５に収容された１０個の被包装物６上に２つのスペーサ１を配置する。各スペーサ１は、各押え面部２５を下方に向けられ、各押え面部２５を被包装物６の上面に接触させた状態で包装箱５に収容される。各被包装物６に貼付されたアテンションシール６Ａは、第１押え脚部３０や第２押え脚部３５の下側または干渉防止穴１５に位置している。このように、スペーサ１（押え凸部４０）はアテンションシール６Ａに干渉しないようになっている。
【００４０】
図２に示すように、作業者は、一対の上内フラップ５５と一対の上外フラップ５６とを折り曲げて包装箱５の天面を形成する。一対の上内フラップ５５は、２つのスペーサ１の上面（第１支持板１０）に積層される。以上によって、包装箱５は封緘され、複数の被包装物６は２つのスペーサ１に包装箱５の底面に押えられた状態になる。これにより、包装箱５の内部において被包装物６の移動が規制されるため、被包装物６およびアテンションシール６Ａを保護することができる。
【００４１】
以上説明した第１実施形態に係るスペーサ１では、複数の押え面部２５が包装箱５に収容された複数の被包装物６に当接する構成とした。この構成によれば、スペーサ１を包装箱５の内部に配置するだけで、包装箱５に並べて収容された複数の被包装物６を容易に押える（位置決めする）ことができる。
【００４２】
また、第１実施形態に係るスペーサ１では、５つの押え面部２５が千鳥状（ジグザグ）に配置され、隣り合う２つの第１押え脚部３０の傾斜角度が異なり、隣り合う２つの第２押え脚部３５の傾斜角度が異なる構成とした（図２、図４および図５参照）。この構成によれば、例えば、図２において、スペーサ１の前方に荷重（偏荷重）が作用すると、傾きが緩やかな第２押え脚部３５（Ａ）は平坦に潰れそうになるが、第２押え脚部３５（Ａ）に隣り合う第２押え脚部３５（Ｂ）は急勾配であるため偏荷重に抵抗することができる。つまり、押え凸部４０（Ｂ）によって押え凸部４０（Ａ）が潰れることを阻止することができる。これにより、スペーサ１に偏荷重がかかっても容易に潰れることがなく、スペーサ１としての機能を維持することができる。
【００４３】
さらに、押え凸部４０は側面から見て略台形状に形成されているため、アテンションシール６Ａを避けながら押え面部２５を被包装物６に当接させることができる。また、アテンションシール６Ａは、押え凸部４０の周囲のどの位置にあっても押え凸部４０に干渉しない構成であるため、押え面部２５が被包装物６に当接した状態において被包装物６の回転を許容することができる。これにより、包装箱５の運搬中に振動等によって被包装物６が回転したとしても、アテンションシール６Ａの損傷を抑制することができる。
【００４４】
また、第１実施形態に係るスペーサ１では、第１支持板１０は、第２支持板１１に積層された状態で、第２支持板１１に設けられた係合凹部２１（被係合部）に係合する係合片２０（係合部）を有していた。この構成によれば、係合片２０を係合凹部２１に噛み合わせるだけで、第１支持板１０を第２支持板１１に簡単に且つ確りと固定することができる。
【００４５】
なお、第１実施形態に係るスペーサ１では、押え部１２が段方向に亘って一定の幅となる帯状に形成されていたが、本考案はこれに限定されない。例えば、押え面部２５と第１および第２押え脚部３０，３５との形状や幅が異なっていてもよい（後述する第２実施形態を参照）。
【００４６】
［第２実施形態］
次に、図６および図７を参照して、第２実施形態に係るスペーサ２について説明する。図６はスペーサ２のブランク２Ａを示す平面図である。図７は包装箱５およびスペーサ２を示す断面図である。なお、以下の説明では、第１実施形態に係るスペーサ１と同一または対応する構成には、同一の符号を付し、これらの説明は省略する。
【００４７】
第１実施形態に係るスペーサ１では、一対の係合片２０および一対の係合凹部２１が第１および第２支持板１０，１１の流れ方向の両端部に形成され、押え部１２が段方向に亘って一定の幅となる帯状に形成されていた。これに対し、図６に示すように、第２実施形態に係るスペーサ２（ブランク２Ａ）では、一対の係合片２０および一対の係合凹部２１が第１および第２支持板１０，１１の段方向の一端部に形成され、押え部１３の幅が不定となっている。また、第１実施形態に係るスペーサ１では５つの押え凸部４０が略同じ高さに形成されていたが、第２実施形態に係るスペーサ２では一部の押え凸部４１が他の押え凸部４１とは異なる高さに形成されている。なお、引き続き、主に１つの押え部１３に着目して説明する。
【００４８】
＜係合片、係合凹部＞
図６に示すように、各々の係合片２０は、各押え部１３とは反対側となる第１支持板１０の段方向の一端から押え部１３の側に向かって切り込まれた一対の切断線２０Ａによって形成されている。一対の係合片２０は、流れ方向の両側の一対の干渉防止穴１５に対応する位置に形成されている。また、各々の係合凹部２１は、各押え部１３側となる第２支持板１１の段方向の一端部に凹設されている。一対の係合凹部２１は、流れ方向の両側の一対の干渉防止穴１５に連続している。
【００４９】
＜押え部＞
図６に示すように、押え部１３は、押え面部２６と、第１押え脚部３１と、第２押え脚部３６と、を有している。押え面部２６は、略八角形状に形成されている。第１および第２押え脚部３１，３６は、押え面部２６から第１および第２支持板１０，１１に向かって徐々に幅狭くなる略台形状に形成されている。押え面部２６と第１および第２押え脚部３１，３６との境界の長さ（第１および第２押え折線Ｌ３，Ｌ４の長さ）は、押え面部２６の流れ方向の最大幅よりも短くなっている。なお、第１および第２押え折線Ｌ３，Ｌ４はリード罫となっている。
【００５０】
各々の押え部１３において、押え面部２６と第１押え脚部３１と第２押え脚部３６とは、互いに段方向の寸法（長さ）が異なっている。また、流れ方向の両端に位置する２つの押え部１３と、流れ方向の中央に位置する１つの押え部１３と、残り２つの押え部１３とでは、各部位（２６，３１，３６）の長さの比率が異なっている。なお、以下、説明の便宜上、流れ方向の両端に位置する２つの押え部１３、流れ方向の中央に位置する１つの押え部１３、残り２つの押え部１３を、第１の押え部１３（Ａ）、第２の押え部１３（Ｂ）、第３の押え部１３（Ｃ）と呼び、第１〜第３の押え部１３（Ａ〜Ｃ）に関連する構成に符号（Ａ）、（Ｂ）、（Ｃ）を付す。また、第１〜第３の押え部１３（Ａ〜Ｃ）に共通する説明では、単に押え部１３と呼び、押え部１３に関連する構成の符号には算用数字のみを付す。
【００５１】
例えば、第１の押え部１３（Ａ）では、押え面部２６（Ａ）が第１押え脚部３１（Ａ）よりも長く、第１押え脚部３１（Ａ）が第２押え脚部３６（Ａ）よりも長く形成されている。第２の押え部１３（Ｂ）では、第１押え脚部３１（Ｂ）が押え面部２６（Ｂ）よりも長く、押え面部２６（Ｂ）が第２押え脚部３６（Ｂ）よりも長く形成されている。第３の押え部１３（Ｃ）では、第２押え脚部３６（Ｃ）が押え面部２６（Ｃ）よりも長く、押え面部２６（Ｃ）が第１押え脚部３１（Ｃ）よりも長く形成されている。第３の押え部１３（Ｃ）は、第２の押え部１３（Ｂ）を反転させた形状となっている。また、第２押え脚部３６（Ａ）は、第２押え脚部３６（Ｂ）（第１押え脚部３１（Ｃ））よりも短く形成されている。第１押え脚部３１（Ａ）は、第２押え脚部３６（Ｂ）（第１押え脚部３１（Ｃ））よりも僅かに長く、且つ第１押え脚部３１（Ｂ）（第２押え脚部３６（Ｃ））よりも短く形成されている。
【００５２】
また、流れ方向に隣り合う１組の押え面部２６の図心は段方向にずれており、５つの押え面部２６は千鳥状に配置されている。
【００５３】
スペーサ２を組み立てる（第１支持板１０を第２支持板１１に固定する）と、第１実施形態に係るスペーサ１と同様に、各々の押え部１３は、押え面部２６を下方に突き出した略台形状の押え凸部４１を構成する。図７に示すように、第１支持板１０を第２支持板１１に固定した状態で、左右両側の２つの押え部１３（Ａ）（押え凸部４１（Ａ））は、その他の３つの押え部１３（Ｂ〜Ｃ）（押え凸部４１（Ｂ〜Ｃ））に比べて、押え面部２６と第２支持板１１との距離が異なっている。具体的には、押え面部２６（Ａ）と第２支持板１１との距離は、押え面部２６（Ｂ〜Ｃ）と第２支持板１１との距離よりも短くなっている。つまり、２つの押え凸部４１（Ａ）は、その他の３つの押え凸部４１（Ｂ〜Ｃ）よりも低く形成されている。
【００５４】
［スペーサの作用］
図７に示すように、包装箱５の底面は、一対の下内フラップ５３に一対の下外フラップ５４を積層することで構成されるため、完全に平らではない。包装箱５の底面の左右両側には、一対の下内フラップ５３の厚み分の段差Ｓが形成される。したがって、下内フラップ５３上に配置された被包装物６は、下外フラップ５４上に配置された被包装物６よりも、段差Ｓの分だけ上方に突き出す。つまり、左右両側の２つの被包装物６の上面が、その他の３つの被包装物６の上面よりも高くなっている。
【００５５】
上記したように、スペーサ２では、左右両側の２つの押え凸部４１（Ａ）が、その他の３つの押え凸部４１（Ｂ〜Ｃ）よりも低く形成されている。したがって、左右方向に並ぶ５つの被包装物６上にスペーサ２を配置すると、５つの押え面部２６は５つの被包装物６の上面に確りと面接触する。
【００５６】
以上説明した第２実施形態に係るスペーサ２によれば、高さが異なる複数の押え凸部４１（押え部１３）を設けることで、高さが異なる被包装物６を適正に押さえることができる。
【００５７】
なお、第２実施形態に係るスペーサ２では、５つの押え面部２６が千鳥状に配置されていたが、本考案はこれに限定されない。図８に示すように、第２実施形態の変形例に係るスペーサ２´（ブランク２Ａ´）として、流れ方向の両側で隣り合う２組の押え部１３は、押え面部２６、第１押え脚部３１および第２押え脚部３６の長さが異なるように形成されてもよい。また、流れ方向の中央で隣り合う１組の押え部１３は、押え面部２６、第１押え脚部３１および第２押え脚部３６の長さが同一に形成されてもよい。さらに、５つの押え面部２６の図心が流れ方向に一列に並ぶように配置されてもよい。流れ方向の中央で隣り合う１組の押え部１３では、第１および第２押え脚部３１，３６が第１および第２支持板１０，１１に食い込むように延設されている。また、第２支持板１１の外端部には、第１支持板１０に食い込んだ第１押え脚部３１を避けるための４つの切欠き部１６が凹設されている。スペーサ２´を組み立てると、流れ方向の両側の２つの押え部１３（押え凸部４１）が、その他の２つの押え凸部４１よりも高く形成される（図示せず）。
【００５８】
また、第２実施形態（変形例を含む。以下同じ。）に係るスペーサ２では、左右両側の２つの押え凸部４１（Ａ）が、その他の３つの押え凸部４１（Ｂ〜Ｃ）よりも低く形成されているたが、本考案はこれに限定されない。複数の押え凸部４１のうち少なくとも１つの高さが、その他の押え凸部４１の高さと異なっていればよい。すなわち、複数の押え部１３（押え凸部４１）のうち少なくとも１つが、その他の押え部１２（押え凸部４１）に比べて、押え面部２５と第２支持板１１との距離が異なるように形成されていればよい。
【００５９】
また、第２実施形態では、Ａ式の包装箱５の底面に凹凸があることに起因して、収容された複数の被包装物６の高さが異なる場合について説明したが、本考案はこれに限定されない。第２実施形態に係るスペーサ２は、例えば、高さの異なる複数の被包装物（図示せず）を適正に押えることもできる。
【００６０】
また、第２実施形態に係るスペーサ２では、高さの異なる２種類の押え凸部４１が形成されていたが、本考案はこれに限定されない。高さの異なる３種類以上の押え凸部４１が形成されてもよい（図示せず）。
【００６１】
また、第２実施形態に係るスペーサ２では、第１および第２押え脚部３１，３６が押え面部２６から離れるに従って徐々に幅狭くなる略台形状に形成されていたが、本考案はこれに限定されない。第１および第２押え脚部３１，３６は、押え面部２６から離れるに従って徐々に幅広くなる略台形状に形成されてもよいし、長方形状に形成されてもよい（図示せず）。また、押え面部２６は、八角形状に限らず、四角形状に形成されてもよい（図示せず）。
【００６２】
［第３実施形態］
次に、図９および図１０を参照して、第３実施形態に係るスペーサ３について説明する。図９はスペーサ３のブランク３Ａを示す平面図である。図１０はスペーサ３を示す斜視図である。なお、以下の説明では、第１または第２実施形態に係るスペーサ１，２，２´と同一または対応する構成には、同一の符号を付し、これらの説明は省略する。
【００６３】
第１実施形態に係るスペーサ１では、第１押え折線Ｌ３および第２押え折線Ｌ４が、第１折返し線Ｌ１および第２折返し線Ｌ２と平行に形成され、押え部１２を折り曲げて押え凸部４０を構成すると、押え面部２５は第１および第２支持板１０，１１と平行に設けられていた。これに対し、図９に示すように、第３実施形態に係るスペーサ３（ブランク３Ａ）では、第１押え折線Ｌ５と第２押え折線Ｌ６とが、流れ方向（第２方向）の一方から他方に向かって互いに離れるように斜めに形成されている。したがって、押え面部２７、第１押え脚部３２および第２押え脚部３７は略台形状に形成されている。
【００６４】
以上説明した第３実施形態に係るスペーサ３では、第１および第２押え折線Ｌ５，Ｌ６が互いに逆方向に傾斜する構成とした。図１０に示すように、押え部１４を折り曲げて押え凸部４２を構成すると、押え面部２７は、第１および第２押え折線Ｌ５，Ｌ６との間隔が広い側から狭い側に向かって（図１０では左から右に向かって）下方に傾斜する。この構成によれば、例えば、被包装物６の上面が傾斜していたとしても、押え面部２７を被包装物６の上面に面接触させることができる（図示せず）。これにより、包装箱５に収容された被包装物６を確りと位置決めすることができる。
【００６５】
なお、第１〜第３実施形態に係るスペーサ１〜３では、押え面部２５〜２７が第１および第２押え脚部３０〜３２，３５〜３７よりも長く形成される場合があったが、本考案はこれに限定されない。例えば、押え面部２５〜２７が第１および第２押え脚部３０〜３２，３５〜３７よりも短く形成されてもよいし、押え面部２５〜２７と第１および第２押え脚部３０〜３２，３５〜３７とが全て同じ長さに形成されてもよい（図示せず）。
【００６６】
また、第１〜第３実施形態に係るスペーサ１〜３（第２実施形態に係るスペーサ２´を除く。）では、流れ方向に隣り合う１組の押え部１２〜１４が、押え面部２５〜２７と第１押え脚部３０〜３２と第２押え脚部３５〜３７との段方向の長さを異にする構成としたが、本考案はこれに限定されない。第１実施形態係るスペーサ１を一例として説明すると、図１１に示すように、流れ方向に隣り合う１組（２つ）の押え面部２５の段方向の長さのみが異なり、流れ方向に隣り合う１組の第１および第２押え脚部３０，３５の段方向の長さは同一であってもよい。また、複数の押え面部２５は千鳥状に配置される必要はなく、第２実施形態に係るスペーサ２´のように、複数の押え面部２５の図心が一列に並んでいてもよい。すなわち、流れ方向（左右方向）に隣り合う少なくとも１組（２つ）の押え部１２は、押え面部２５〜２７と第１押え脚部３０〜３２と第２押え脚部３５〜３７のうち少なくとも１つの段方向（前後方向）の長さが異なるように形成されていればよい。この場合、第１支持板１０の前後方向（第１方向）の長さは、第１折返し線Ｌ１から第１支持板１０の先端までの長さを指し、第２支持板１１の前後方向（第１方向）の長さは、第２折返し線Ｌ２から第２支持板１１の先端までの長さを指す。したがって、各々の押え部１２，１３，１４の前後方向の長さは、第２折返し線Ｌ２から第２支持板１１の先端までの長さよりも長く形成されていればよい。
【００６７】
また、第１〜第３実施形態に係るスペーサ１〜３では、複数の押え部１２〜１４が略等間隔に配置されていたが、これに限らず、不規則な間隔で配置されてもよい（図示せず）。さらに、第１支持板１０に係合片２０が形成され、第２支持板１１に係合凹部２１が形成されていたが、これに限らず、第１支持板１０に係合部として係合凹部２１が形成され、第２支持板１１に被係合部として係合片２０が形成されてもよい（図示せず）。また、係合片２０および係合凹部２１は少なくとも１つ形成されていればよい。
【００６８】
なお、包装箱５に収容される被包装物６が、略円筒形状に形成されていたが、本考案はこれに限定されない。被包装物６は、立方体等、スペーサ１〜３によって押えることが可能な立体形状であれば如何なる形状でもよい。また、被包装物６にはアテンションシール６Ａが貼付されていたが、アテンションシール６Ａは省略されてもよい。
【００６９】
なお、包装箱５は、Ａ式の箱であったが、これに限らず、複数の被包装物６とスペーサ１〜３とを収容可能な箱であれば如何なる形式でもよい。
【００７０】
また、第１〜第３実施形態に係るスペーサ１〜３および包装箱５は、紙製の両面段ボールシートで形成されていたが、本考案はこれに限定されない。例えば、段ボールシートは、中しん９Ａの片面にライナを貼り付けた片面段ボールシートでもよいし、片面段ボールシートと両面段ボールシートを積層した複両面段ボールシートであってもよい。また、スペーサ１〜３および包装箱５は、紙製の段ボールシートに代えて、樹脂製の板等で形成されていてもよい。また、第１〜第３実施形態に係るスペーサ１〜３では、中しん９Ａが前後方向に延びていたが、これに限らず、左右方向に延びていてもよい（図示せず）。
【００７１】
なお、上記実施形態の説明は、本考案に係るスペーサおよび包装箱における一態様を示すものであって、本考案の技術範囲は、上記実施形態に限定されるものではない。本考案の技術範囲は、上記実施形態に限定されるものではない。本考案は技術的思想の趣旨を逸脱しない範囲において様々に変更、置換、変形されてもよく、実用新案登録請求の範囲は技術的思想の範囲内に含まれ得る全ての実施態様を含んでいる。
【符号の説明】
【００７２】
１，２，２´，３  スペーサ
５    包装箱
６    被包装物
１０  第１支持板
１１  第２支持板
１２，１３，１４  押え部
２０  係合片（係合部）
２１  係合凹部（被係合部）
２５，２６，２７  押え面部
３０，３１，３２  第１押え脚部
３５，３６，３７  第２押え脚部
Ｌ３，Ｌ５  第１押え折線
Ｌ４，Ｌ６  第２押え折線
【図１】
0003228629.tif 000003
【図２】
0003228629.tif 000004
【図３】
0003228629.tif 000005
【図４】
0003228629.tif 000006
【図５】
0003228629.tif 000007
【図６】
0003228629.tif 000008
【図７】
0003228629.tif 000009
【図８】
0003228629.tif 000010
【図９】
0003228629.tif 000011
【図１０】
0003228629.tif 000012
【図１１】
0003228629.tif 000013